(57)【要約】【課題】不適切なブレ補正を避けるカメラを提供する。【解決手段】カメラは、カメラの振れに起因する撮像素子３３上の像ブレを抑えるように撮像素子３３および防振光学系１１ｂの少なくとも一方を光軸と直交する向きに駆動する光学式ブレ補正手段１３と、撮像素子３３で取得された画像のデータを出力する撮像手段１０と、データが記録される記憶媒体５０が接続されるインターフェース手段３２と、インターフェース手段３２に接続されている記憶媒体５０が無線通信機能を有するか否かを判定する判定手段２０と、判定手段２０が無線通信機能有りを判定した場合に光学式ブレ補正手段１３による駆動を停止させる制御手段２０とを備える。【選択図】図１
2010074378.tif 000002
【特許請求の範囲】
【請求項１】
カメラの振れに起因する撮像素子上の像ブレを抑えるように前記撮像素子および防振光学系の少なくとも一方を光軸と直交する向きに駆動する光学式ブレ補正手段と、
前記撮像素子で取得された画像のデータを出力する撮像手段と、
前記データが記録される記憶媒体が接続されるインターフェース手段と、
前記インターフェース手段に接続されている記憶媒体が無線通信機能を有するか否かを判定する判定手段と、
前記判定手段が前記無線通信機能有りを判定した場合に前記光学式ブレ補正手段による前記駆動を停止させる制御手段とを備えることを特徴とするカメラ。
【請求項２】
カメラの振れに起因する撮像素子上の像ブレを抑えるために前記撮像素子および防振光学系の少なくとも一方を光軸と直交する向きに駆動する光学式ブレ補正手段と、
前記撮像素子で取得された画像のデータを出力する撮像手段と、
外部機器との間で無線通信を行う無線通信手段が無線通信中か否かを判定する判定手段と、
前記判定手段が前記無線通信中を判定した場合に前記光学式ブレ補正手段による前記駆動を停止させる制御手段とを備えることを特徴とするカメラ。
【請求項３】
請求項２に記載のカメラにおいて、
前記撮像手段によるデータが記録されるとともに、前記無線通信手段を含む記憶媒体が接続されるインターフェース手段をさらに備え、
前記判定手段は、前記インターフェース手段に接続されている記憶媒体が無線通信中か否かを判定することを特徴とするカメラ。
【請求項４】
請求項１または２に記載のカメラにおいて、
前記制御手段は、前記光学式ブレ補正手段への通電を止める、および前記防振光学系を機械的に固定する、のうち少なくとも一方を指示することを特徴とするカメラ。
【請求項５】
請求項１または２に記載のカメラにおいて、
前記像ブレを軽減するように前記撮像手段から出力された画像のデータを加工する電子式ブレ補正手段をさらに備え、
前記制御手段は、前記光学式ブレ補正手段による前記駆動が停止中に前記撮像素子で取得された画像データに対して前記データ加工するように前記電子式ブレ補正手段を制御することを特徴とするカメラ。
【請求項６】
請求項１または２に記載のカメラにおいて、
前記撮像素子の蓄積時間を変更可能にして露出を制御する露出制御手段をさらに備え、
前記露出制御手段は、前記光学式ブレ補正手段による前記駆動が停止中は前記駆動中の場合に比べて短い蓄積時間に変更して露出制御を行うことを特徴とするカメラ。
【請求項７】
請求項１または２に記載のカメラにおいて、
被写体輝度が所定の判定閾値より低い場合に発光装置の発光要を判定し、前記被写体輝度が前記判定閾値より高い場合に前記発光装置の発光否を判定する発光要否判定手段をさらに備え、
前記発光要否判定手段は、前記光学式ブレ補正手段による前記駆動が停止中は前記駆動中より前記判定閾値を高くすることを特徴とするカメラ。
【請求項８】
請求項１または２に記載のカメラにおいて、
前記光学式ブレ補正手段による前記駆動が停止中か否かを知らせる報知手段をさらに備えることを特徴とするカメラ。
【発明の詳細な説明】
【技術分野】
【０００１】
本発明は、カメラに関する。
【背景技術】
【０００２】
デジタルカメラ等のデジタルデバイスからは通常の記憶媒体に見え、他方で無線ネットワーク装置から利用可能な記憶媒体が知られている（特許文献１参照）。上記記憶媒体は、カメラが備える通常のメモリカード用のスロットに装着されて使用される。
【０００３】
【特許文献１】特開２００４−３１０７７２号公報
【発明の開示】
【発明が解決しようとする課題】
【０００４】
カメラに装着された記憶媒体が外部の無線ネットワーク装置との間で無線通信を行う場合、カメラ内の電子回路が該記憶媒体が発する電波による影響を受けるおそれがあるという問題があった。
【課題を解決するための手段】
【０００５】
（１）請求項１に記載の発明によるカメラは、カメラの振れに起因する撮像素子上の像ブレを抑えるように撮像素子および防振光学系の少なくとも一方を光軸と直交する向きに駆動する光学式ブレ補正手段と、撮像素子で取得された画像のデータを出力する撮像手段と、データが記録される記憶媒体が接続されるインターフェース手段と、インターフェース手段に接続されている記憶媒体が無線通信機能を有するか否かを判定する判定手段と、判定手段が無線通信機能有りを判定した場合に光学式ブレ補正手段による駆動を停止させる制御手段とを備えることを特徴とする。
（２）請求項２に記載の発明によるカメラは、カメラの振れに起因する撮像素子上の像ブレを抑えるために撮像素子および防振光学系の少なくとも一方を光軸と直交する向きに駆動する光学式ブレ補正手段と、撮像素子で取得された画像のデータを出力する撮像手段と、外部機器との間で無線通信を行う無線通信手段が無線通信中か否かを判定する判定手段と、判定手段が無線通信中を判定した場合に光学式ブレ補正手段による駆動を停止させる制御手段とを備えることを特徴とする。
【発明の効果】
【０００６】
本発明によるカメラでは、不適切なブレ補正を避けることができる。
【発明を実施するための最良の形態】
【０００７】
以下、図面を参照して本発明を実施するための最良の形態について説明する。図１は、本発明の一実施の形態による電子カメラの要部構成を説明するブロック図である。図１において、電子カメラは、撮影光学系ユニット１０と、制御装置２０と、ブレ検出センサ３１と、記憶媒体インターフェース３２と、撮像素子３３と、表示装置３４と、操作部材３５とを有する。
【０００８】
撮影光学系ユニット１０は、撮影光学系１１ａ、ブレ補正光学系１１ｂ、ブレ補正光学系位置検出センサ１２、ブレ補正光学系駆動用モータ１３、ブレ補正光学系保持機構１４、およびブレ補正光学系保持機構駆動用モータ１５を含む。
【０００９】
ブレ補正光学系１１ｂは、撮像素子３３の撮像面上に結像する被写体像が電子カメラの振れ（いわゆる手ブレ）に起因して揺動するのを抑えるための防振レンズである。ブレ補正光学系１１ｂは、ブレ補正光学系駆動用モータ１３によって光軸と直交する方向に進退駆動される。ブレ補正光学系駆動用モータ１３は、制御装置２０から出力されるブレ補正光学系駆動信号に基づいてブレ補正光学系１１ｂを駆動する。
【００１０】
ブレ補正光学系位置検出センサ１２は、ブレ補正光学系１１ｂの位置を検出し、位置検出信号を制御装置２０へ送出する。ブレ検出センサ３１は、たとえば角速度センサによって構成される。ブレ検出センサ３１は、電子カメラのピッチ方向およびヨー方向に生じた角速度を検出し、角速度検出信号を制御装置２０へ送出する。
【００１１】
制御装置２０は、マイクロコンピュータなどによって構成される。制御装置２０は、内蔵する不揮発性メモリ（不図示）に記憶するプログラムを実行することによって電子カメラが行う動作を制御する。制御装置２０は、各ブロックから出力される信号を入力して所定の演算を行い、演算結果に基づく制御信号を各ブロックへ出力する。制御装置２０は、光学式ブレ補正処理部２１、電子式ブレ補正処理部２２、無線転送機能保有判定部２３、および無線転送機能作動判定部２４を含む。
【００１２】
光学式ブレ補正処理部２１は、上記角速度検出信号に基づいて上述したブレ補正光学系駆動信号を生成する。電子式ブレ補正処理部２２は、手ブレが生じた画像に所定のフィルタ処理を施すことにより、手ブレにより劣化した画像を劣化のない画像に近づけるように復元する処理を行う。
【００１３】
無線転送機能保有判定部２３は、記憶媒体インターフェース３２に装着されている記憶媒体５０が外部装置との間で無線転送を行う機能を備えているか否かを検出する。無線転送機能保有判定部２３は、たとえば、記憶媒体５０から読み込んだ該記憶媒体５０の情報（たとえば、製造番号など）に基づいて無線転送機能の有無を検出する。無線転送機能作動判定部２４は、上記無線転送機能を備えている記憶媒体５０が、外部装置との間で無線通信を行っている（後述する無線通信部５５が作動中）か否かを検出する。無線転送機能を備える記憶媒体５０の詳細については後述する。
【００１４】
記憶媒体インターフェース３２は、制御装置２０からの指示に応じて記憶媒体５０との間でデータを送受する。すなわち、記憶媒体インターフェース３２は、制御装置２０からの指示に基づいて記憶媒体５０に対してデータの記録を行う。また、記憶媒体インターフェース３２は、制御装置２０からの指示に基づいて記憶媒体５０に記録されているデータの読み出しを行う。
【００１５】
図２は、無線転送機能を備える記憶媒体５０の要部構成を説明するブロック図である。図２において、記憶媒体５０は、インターフェース部５１と、記憶部５２と、ＲＡＭ５３と、制御部５４と、無線通信部５５とを有する。インターフェース部５１は、制御部５４からの指示に基づいて電子カメラの記憶媒体インターフェース３２との間でデータを送受する。
【００１６】
記憶部５２は、たとえばフラッシュメモリによって構成される。記憶部５２は、制御部５４からの指示によってデータが記録される。また、記憶部５２に記録されているデータは、制御部５４からの指示によって読み出しが可能である。
【００１７】
ＲＡＭ５１は、制御部５４が作業用領域として使用する他、データの一時保存用として使用される。制御部５４は、マイクロコンピュータなどによって構成される。制御部５４は、内蔵する不揮発性メモリ（不図示）に記憶するプログラムを実行することによって記憶媒体５０が行う動作を制御する。
【００１８】
無線通信部５５は、制御部５４からの指示によって外部の無線ネットワーク装置との間で無線通信を行う。たとえば、画像ファイルを無線通信部５５を介してインターネット２０１上の所定の画像サーバー３０１へアップロードする。無線通信部５５が無線ＬＡＮモジュールとしてアクセスポイント２５１との間で通信を確立することにより、制御部５４がインターネット２０１に接続するように構成される。
【００１９】
無線通信部５５が画像サーバー３０１へアップロードするファイルは、たとえば、記憶部５２内に記録されている画像ファイルなどである。なお、無線転送機能を有していない記憶媒体は、図２に例示したブロックのうち少なくとも無線通信部５５を備えていないものをいう。
【００２０】
図１の撮像素子３３は、受光素子が二次元配列されたＣＣＤイメージセンサまたはＣＭＯＳイメージセンサなどによって構成される。撮像素子３３は、被写体像を光電変換してアナログ画像信号を生成する。アナログ画像信号は、不図示のＡＦＥ(Analog front end)回路で相関二重サンプリングやゲイン調整などのアナログ処理が施される。アナログ処理後の画像信号はさらに、不図示のA/D変換回路でデジタル画像データに変換されて制御装置２０へ送出される。制御装置２０は、デジタル画像データに対して所定の画像処理（色補間処理、階調変換処理、輪郭強調処理、ホワイトバランス調整処理、画像圧縮処理、画像伸張処理など）も行う。
【００２１】
表示装置３４は、制御装置２０からの指示により、デジタル画像データに基づく再生画像を表示する。操作部材３５は、不図示のレリーズボタンの押下操作に連動してオン／オフする半押しスイッチ、全押しスイッチなどを含む。操作部材３５は、各操作に応じた操作信号を制御装置２０へ送出する。
【００２２】
＜光学式ブレ補正＞
制御装置２０の光学式ブレ補正処理部２１は、ブレ検出センサ３１からの角速度検出信号に基づいて、撮像素子３３における被写体像の揺れを抑えるために必要なブレ補正光学系１１ｂの駆動量を演算する。そして、演算した駆動量および駆動方向を示す信号をブレ補正光学系駆動信号としてブレ補正光学系駆動用モータ１３へ送信する。
【００２３】
具体的には、ブレ補正光学系位置検出センサ１２からの位置検出信号に基づいてブレ補正光学系１１ｂの位置を検出し、この検出位置と目標位置との差を演算し、この差に基づいてブレ補正光学系１１ｂの駆動量および駆動方向を演算する。ブレ補正光学系駆動用モータ１３によってブレ補正光学系１１ｂが駆動されることにより、撮像素子３３上の被写体像の揺れが軽減される。
【００２４】
＜電子式ブレ補正＞
制御装置２０の電子式ブレ補正処理部２２は、手ブレにより劣化した画像のぼけを除去するための画像処理を行う（たとえば、特開２００７−８８８２８号公報参照）。具体的には、ブレ検出センサ３１からの角速度検出信号に基づいて画像復元フィルタを生成し、得られた画像復元フィルタを用いて画像の復元処理を行う。
【００２５】
上記電子カメラは、小型化するほど筐体内に実装された各ブロック間の距離が短くなる。この場合、電波を送信するブロックからの電磁波を他のブロックで受けやすくなる。たとえば、ブレ補正光学系位置検出センサ１２がホール素子と呼ばれる磁気センサで構成される場合は、記憶媒体５０の無線通信部５５から無線転送時に発せられる電磁波が該磁気センサで検知されてしまう。このため、位置検出信号が変化してブレ補正光学系１１ｂの位置を正しく検出できないおそれが生じる。
【００２６】
ブレ補正光学系１１ｂの位置を正しく検出できないことは、電子式ブレ補正が適切に行えなくなることに等しい。そこで、本実施形態では、記憶媒体５０の無線通信部５５が無線通信を行う状態において光学式ブレ補正に代えて電子式ブレ補正を行う。
【００２７】
＜メイン処理＞
以下、ブレ補正制御方式を切り替えるために制御装置２０が行う処理を中心に、図３から図６に例示するフローチャートを参照して説明する。制御装置２０は、操作部材３５から撮影モードを起動する操作信号が入力されると、図３に例示するメイン処理を行うためのプログラムを起動する。
【００２８】
図３のステップＳ１０１において、制御装置２０は、撮像素子３３に対するスルー画用の駆動制御を開始させてステップＳ１０２へ進む。これにより、撮像素子３３がスルー画像データの取得を開始する。スルー画像は、撮影指示前に取得するモニタ用画像のことをいう。
【００２９】
ステップＳ１０２において、制御装置２０は、表示装置３４へスルー画像表示を開始させてステップＳ１０３へ進む。制御装置２０は、レリーズボタンが半押し操作されるまでスルー画像の取得および該スルー画像の表示を繰り返すように構成されている。
【００３０】
ステップＳ１０３において、制御装置２０はレリーズ指示されたか否かを判定する。制御装置２０は、操作部材３５からレリーズボタンの全押し操作を示す操作信号が入力された場合にステップＳ１０３を肯定判定してステップＳ１０４へ進む。制御装置２０は、レリーズボタンの全押し操作を示す信号が入力されない場合にはステップＳ１０３を否定判定してステップＳ１１０へ進む。
【００３１】
ステップＳ１１０において、制御装置２０は、撮影モードの終了操作が行われたか否かを判定する。制御装置２０は、操作部材３５から撮影モードの終了を指示する操作信号が入力された場合にステップＳ１１０を肯定判定して図３による処理を終了する。この場合は、再生モードやメニューモードなどの他モードの処理へ移行する。
【００３２】
一方、制御装置２０は、操作部材３５から撮影モードの終了を指示する操作信号が入力されない場合には、ステップＳ１１０を否定判定してステップＳ１０３へ戻る。ステップＳ１０３へ戻る場合はレリーズ判定を繰り返す。
【００３３】
上記ステップＳ１０３を肯定判定して進むステップＳ１０４において、制御装置２０は、ブレ補正制御方式が「光学式ブレ補正」に設定されているか否かを判定する。制御装置２０は、後述するブレ補正切替判定処理によって「光学式ブレ補正」に設定されている場合にステップＳ１０４を肯定判定してステップＳ１０５へ進む。制御装置２０は、「光学式ブレ補正」に設定されていない場合にはステップＳ１０４を否定判定し、ステップＳ１１１へ進む。
【００３４】
ステップＳ１０５において、制御装置２０は、ブレ補正光学系１１ｂを所定の基準位置へ駆動させてステップＳ１０６へ進む。ステップＳ１０６において、制御装置２０は、ブレ補正光学系１１ｂに対する撮影用の駆動を開始させてステップＳ１０７へ進む。撮影用の駆動では、後述するスルー画用の駆動時に比べて、駆動周期（ブレ検出、ブレ補正光学系１１ｂの駆動量の演算、およびブレ補正光学系駆動用モータ１３に対するブレ補正光学系駆動信号の送信を行う間隔）が短くされ、かつブレ補正光学系１１ｂの可動範囲が狭く設定される。
【００３５】
ステップＳ１０７において、制御装置２０は撮影処理を行ってステップＳ１０８へ進む。具体的には、撮像素子３３を自動露出（ＡＥ）演算によって決定されている撮影用の露光時間で撮像させる。制御装置２０はさらに、撮像素子３３から出力される画像信号に基づいて、画像データおよび撮影情報を含む画像ファイルを生成する。
【００３６】
ステップＳ１０８において、制御装置２０は、ブレ補正光学系１１ｂに対する駆動をスルー画用に切り替えてステップＳ１０９へ進む。ステップＳ１０９において、制御装置２０は、生成した画像ファイルを記憶媒体５０へ記録するように記憶媒体インターフェース３２へ指示してステップＳ１０１へ戻る。これにより、一連の撮影処理が終了する。
【００３７】
上記ステップＳ１０４を否定判定して進むステップＳ１１１において、制御装置２０は、ブレ検出センサ３１からのデータ（ピッチ方向の角速度検出信号およびヨー方向の角速度検出信号）を内部メモリに記録する処理を開始させてステップＳ１１２へ進む。
【００３８】
ステップＳ１１２において、制御装置２０は撮影処理を行ってステップＳ１１３へ進む。具体的には、撮像素子３３に対して自動露出（ＡＥ）演算によって決定されている撮影用の露光時間で撮像させる。
【００３９】
ステップＳ１１３において、制御装置２０は、内部メモリにブレ検出センサ３１からのデータ（ピッチ方向の角速度検出信号およびヨー方向の角速度検出信号）を記録する処理を終了させてステップＳ１１４へ進む。
【００４０】
ステップＳ１１４において、制御装置２０は、撮影画像に対する電子式ブレ補正処理を行う。具体的には、内部メモリに記録されているブレ検出センサ３１からのデータに基づいて画像復元フィルタを生成し、該画像復元フィルタを用いて撮影画像に対する復元処理を行う。制御装置２０はさらに、復元処理後の画像データおよび撮影情報を含む画像ファイルを生成し、ステップＳ１０９へ進む。
【００４１】
＜無線転送機能保有判定＞
無線転送機能保有判定処理の流れについて、図４に例示するフローチャートを参照して説明する。制御装置２０は、図４による処理を電源オン操作による起動時、および記憶媒体５０の装着時にそれぞれ実行する。図４のステップＳ２０１において、制御装置２０は、記憶媒体５０が無線転送機能を有しているか否かについて判定する。制御装置２０は、無線転送機能保有判定部２３によって無線転送機能有りが検出された場合はステップＳ２０１を肯定判定してステップＳ２０２へ進む。制御装置２０は、無線転送機能保有判定部２３によって無線転送機能無しが検出された場合はステップＳ２０１を否定判定し、ステップＳ２０３へ進む。
【００４２】
ステップＳ２０２において、制御装置２０は、無線転送機能保有フラグをＯＮにセットして図４による処理を終了する。ステップＳ２０３において、制御装置２０は、無線転送機能保有フラグをＯＦＦにセットして図４による処理を終了する。
【００４３】
＜無線転送作動判定＞
無線転送機能作動判定処理の流れについて、図５に例示するフローチャートを参照して説明する。制御装置２０は、図５による処理を所定時間（たとえば１０秒）ごとに実行する。図５のステップＳ３０１において、制御装置２０は、記憶媒体５０が無線転送中か否かを判定する。制御装置２０は、記憶媒体５０から読み込んだステータス情報が「無線転送中」を示す場合にステップＳ３０１を肯定判定してステップＳ３０２へ進む。制御装置２０は、記憶媒体５０から読み込んだステータス情報が「無線転送中」を示さない場合には、ステップＳ３０１を否定判定してステップＳ３０３へ進む。
【００４４】
記憶媒体５０の制御部５４は、記憶媒体インターフェース３２を介した制御装置２０からのステータス要求に応じて、たとえば、「無線転送中」、「未転送」、および「転送済」のいずれかのステータス情報を送信するように構成されている。ステータス情報は画像ファイル内に記録されている。たとえば、画像の付属情報を記録するタグ領域と、撮影画像データを記録する画像データ領域とを有するＥｘｉｆ形式の画像ファイルにおいて、上記ステータス情報はタグ領域に記録されている。
【００４５】
ステップＳ３０２において、制御装置２０は、無線転送作動中フラグをＯＮにセットして図５による処理を終了する。ステップＳ３０３において、制御装置２０は、無線転送作動中フラグをＯＦＦにセットして図５による処理を終了する。
【００４６】
＜ブレ補正切替判定＞
ブレ補正切替判定処理の流れについて、図６に例示するフローチャートを参照して説明する。制御装置２０は、図６による処理を所定時間（たとえば１秒）ごとに実行する。図６のステップＳ４０１において、制御装置２０は、無線転送機能保有フラグがＯＮか否かを判定する。制御装置２０は、無線転送機能保有フラグがＯＮされている場合にステップＳ４０１を肯定判定してステップＳ４０２へ進む。制御装置２０は、無線転送機能保有フラグがＯＦＦされている場合にステップＳ４０１を否定判定してステップＳ４０６へ進む。
【００４７】
ステップＳ４０２において、制御装置２０は、無線転送作動中フラグがＯＮか否かを判定する。制御装置２０は、無線転送作動中フラグがＯＮされている場合にステップＳ４０２を肯定判定してステップＳ４０３へ進む。制御装置２０は、無線転送作動中フラグがＯＦＦされている場合にステップＳ４０２を否定判定してステップＳ４０６へ進む。
【００４８】
ステップＳ４０３において、制御装置２０は、ブレ補正光学系保持機構駆動用モータ１５へ駆動信号を送り、ブレ補正光学系保持機構１４によってブレ補正光学系１１ｂを保持させる。つまり、ブレ補正光学系１１ｂが動かないように機械的に固定する。ブレ補正光学系１１ｂがブレ補正光学系保持機構１４で固定された状態では、ブレ補正光学系駆動用モータ１３が駆動されたとしても、ブレ補正光学系１１ｂの固定状態が維持されるように構成されている。
【００４９】
ステップＳ４０４において、制御装置２０は、ブレ補正制御方式を「電子式ブレ補正」に設定してステップＳ４０５へ進む。ステップＳ４０５において、制御装置２０は、表示装置３４に「電子式ブレ補正ＯＮ」を表示させて図６による処理を終了する。
【００５０】
上記ステップＳ４０１またはステップＳ４０２を否定判定して進むステップＳ４０６において、制御装置２０は、ブレ補正制御方式を「光学式ブレ補正」に設定してステップＳ４０７へ進む。ステップＳ４０７において、制御装置２０は、表示装置３４に「光学式ブレ補正ＯＮ」を表示させて図６による処理を終了する。
【００５１】
以上説明した実施形態によれば、次の作用効果が得られる。
（１）カメラは、カメラの振れに起因する撮像素子３３上の像ブレを抑えるようにブレ補正光学系１１ｂを光軸と直交する向きに駆動するブレ補正光学系駆動用モータ１３を有する。制御装置２０は、記憶媒体インターフェース３２に接続されている記憶媒体５０が無線通信機能を有すると判定した場合にブレ補正光学系駆動用モータ１３によるブレ補正光学系１１ｂの駆動を停止させる。これにより、不適切なブレ補正を避けることができる。
【００５２】
（２）カメラは、カメラの振れに起因する撮像素子３３上の像ブレを抑えるようにブレ補正光学系１１ｂを光軸と直交する向きに駆動するブレ補正光学系駆動用モータ１３を有する。制御装置２０は、記憶媒体インターフェース３２に接続されている記憶媒体５０が無線通信中であると判定した場合にブレ補正光学系駆動用モータ１３によるブレ補正光学系１１ｂの駆動を停止させる。これにより、不適切なブレ補正を避けることができる。
【００５３】
（３）制御装置２０は、像ブレを軽減するように撮像素子３３からの画像のデータを加工する電子式ブレ補正機能を有し、ブレ補正光学系駆動用モータ１３によるブレ補正光学系１１ｂの駆動を停止中に上記画像データに対してデータ加工する。これにより、記憶媒体５０による無線通信中は、光学式ブレ補正に代わるブレ補正を適切に行うことができる。
【００５４】
（変形例１）
ステップＳ４０３（図６）においてブレ補正光学系保持機構１４によってブレ補正光学系１１ｂを機械的に保持させる例を説明した。この代わりに、ブレ補正光学系駆動用モータ１３に対する通電を停止することによってブレ補正光学系１１ｂが係止される場合には、ブレ補正光学系保持機構１４を用いることなくブレ補正光学系駆動用モータ１３への通電を停止する構成にしてもよい。
【００５５】
（変形例２）
ブレ補正光学系１１ｂを機械的に固定した（ステップＳ４０３）場合において、電子式ブレ補正を行う代わりに、ＩＳＯ感度をアップ、および撮影用の露光時間（電荷蓄積時間）の短縮を行うようにしてもよい。露光時間を短縮することで、手ブレによる画像劣化を許容範囲内に抑えることができる。
【００５６】
（変形例３）
ブレ補正光学系１１ｂを固定した（ステップＳ４０３）場合、または「電子式ブレ補正」を行う場合において、被写体の明るさが不足することに伴う閃光装置の発光要否判断の判定閾値を高くしてもよい。これにより、「光学式ブレ補正」が行われる場合に閃光装置の発光要が判定される輝度値よりも高い輝度値において閃光装置の発光要が判定される。
【００５７】
変形例３によれば、「光学式ブレ補正」が行われる場合と行われない場合との間で、いわゆる手ブレ限界秒時（手ブレによる画像劣化が許容範囲の上限となる撮影用の露光時間）に差をつけることにより、それぞれの場合において手ブレによる画像劣化を適切に許容範囲内に抑えることができる。
【００５８】
（変形例４）
「電子式ブレ補正」に設定（ステップＳ４０４）されている場合、レリーズ指示が行われる前のスルー画表示時にも電子式ブレ補正処理を行ってもよい。この場合の電子式ブレ補正は、ステップＳ１１４（図３）で行う静止画像用の復元処理と異なり、スルー画像用の処理を行う。具体的には、ブレ検出センサ３１からの角速度検出信号に基づいて、表示装置３４の表示画面内でスルー画像の表示位置をシフトさせる。つまり、フレーム間の画像ずれを抑えるように画像データを加工する。これにより、手ブレに起因して生じる再生表示画像（スルー画像）の揺れを適切に打ち消すことができる。
【００５９】
（変形例５）
ステップＳ４０４（図６）で「電子式ブレ補正」に設定する代わりに「光学式ブレ補正」をＯＦＦするだけでもよい。この場合には、「光学式ブレ補正」がＯＦＦされていることを示す「光学式ブレ補正ＯＦＦ」を表示装置３４に対して表示させる。
【００６０】
（変形例６）
ステップＳ４０２（図６）をスキップさせてもよい。この場合には、ステップＳ４０１を肯定判定した場合に確実にブレ補正光学系１１ｂを固定できる（ステップＳ４０３）。
【００６１】
（変形例７）
以上の説明では、ブレ補正光学系１１ｂを駆動する光学式ブレ補正を例に説明したが、ブレ補正光学系１１ｂを駆動する代わりに、あるいはブレ補正光学系１１ｂを駆動するとともに、撮像素子３３を入射光軸に対して直交する向きへ駆動するタイプの光学式ブレ補正を行ってもよい。
【００６２】
（変形例８）
上述した実施形態では、記憶媒体インターフェース３２に装着される記憶媒体５０に含まれる無線通信部５５が、外部の無線ネットワーク装置との間で無線通信を行う例を説明した。この代わりに、無線通信部５５に相当する回路を内蔵する無線通信モジュールをカメラに対して着脱自在に構成し、カメラに装着された無線通信モジュールが外部の無線ネットワーク装置との間で無線通信を行うように構成してもよい。この場合の制御装置２０は、カメラに該無線通信モジュールが装着された場合にブレ補正光学系駆動用モータ１３によるブレ補正光学系１１ｂの駆動を停止させる。あるいは、カメラに装着された該無線通信モジュールが無線通信中であると判定した場合にブレ補正光学系駆動用モータ１３によるブレ補正光学系１１ｂの駆動を停止させる。このように構成しても、不適切なブレ補正を避けることができる。
【００６３】
（変形例９）
また、無線通信部５５に相当する回路をカメラに内蔵し、内蔵した無線通信回路が外部の無線ネットワーク装置との間で無線通信を行う構成にしても構わない。この場合の制御装置２０は、内蔵された該無線通信回路が無線通信中であると判定した場合にブレ補正光学系駆動用モータ１３によるブレ補正光学系１１ｂの駆動を停止させる。このように構成しても、不適切なブレ補正を避けることができる。
【００６４】
以上の説明はあくまで一例であり、上記の実施形態の構成に何ら限定されるものではない。
【図面の簡単な説明】
【００６５】
【図１】本発明の一実施の形態による電子カメラの要部構成を説明するブロック図である。
【図２】無線転送機能を備える記憶媒体の要部構成を説明するブロック図である。
【図３】メイン処理の流れを説明するフローチャートである。
【図４】無線転送機能保有判定処理の流れを説明するフローチャートである。
【図５】無線転送機能作動判定処理の流れを説明するフローチャートである。
【図６】ブレ補正切替判定処理の流れを説明するフローチャートである。
【符号の説明】
【００６６】
１０…撮影光学系ユニット
１１ｂ…ブレ補正光学系
１２…ブレ補正光学系位置検出センサ
１３…ブレ補正光学系駆動用モータ
１４…ブレ補正光学系保持機構
１５…ブレ補正光学系保持機構駆動用モータ
２０…制御装置
２１…光学式ブレ補正処理部
２２…電子式ブレ補正処理部
２３…無線転送機能保有判定部
２４…無線転送機能作動判定部
３１…ブレ検出センサ
３２…記憶媒体インターフェース
３３…撮像素子
３４…表示装置
５０…記憶媒体
【図１】
2010074378.tif 000003
【図２】
2010074378.tif 000004
【図３】
2010074378.tif 000005
【図４】
2010074378.tif 000006
【図５】
2010074378.tif 000007
【図６】
2010074378.tif 000008